【手続補正書】
【提出日】平成19年3月26日(2007.3.26)
【手続補正１】
【補正対象書類名】特許請求の範囲
【補正対象項目名】全文
【補正方法】変更
【補正の内容】
【特許請求の範囲】
【請求項１】
ＲＦ信号とローカル信号とを掛け合わせて低周波のベースバンド信号に変換するミキサと、
前記ミキサの入力端子に入力される妨害波に対して前記ミキサの２次の非線形歪が作用することによって発生する動的ＤＣオフセットを補正する動的ＤＣオフセット補正器と、
前記ミキサの入力端子に現れるローカル信号の漏洩成分とのセルフミキシングによって発生する静的ＤＣオフセットを補正する静的ＤＣオフセット補正器とを備えた、
ＤＣオフセット補正機能を有するダイレクトコンバージョン受信機において、
ＤＣオフセット補正の動作開始後、第１番目の時刻ｔ１に前記静的ＤＣオフセット補正器による前記静的ＤＣオフセットの補正を開始し、
第２番目の時刻ｔ２に前記静的ＤＣオフセットの補正を終了した後、前記動的ＤＣオフセット補正器による前記動的ＤＣオフセットの補正を開始し、
第３番目の時刻ｔ３に前記動的ＤＣオフセットの補正を終了することにより、
前記静的ＤＣオフセットの成分を補正した後に、前記動的ＤＣオフセットによる変化分のみを補正するように構成され、
前記動的ＤＣオフセット補正器は、前記静的ＤＣオフセットの大きさを記憶するための要素を持たないことを特徴とするＤＣオフセットキャリブレーションシステム。
【請求項２】
低ノイズ増幅器からなりＲＦ信号を増幅するＲＦ増幅器と、
ローカル信号を発生するローカル信号発生器と、
前記ＲＦ増幅器から出力されたＲＦ信号と前記ローカル信号とを掛け合わせて低周波のベースバンド信号に変換する前記ミキサと、
妨害波を減衰させるためのＬＰＦおよび可変利得増幅器で構成され、前記ＲＦ信号に含まれる妨害波を除去し、前記ベースバンド信号を前記ＲＦ信号の入力の大きさによらず一定の大きさにするためのベースバンドブロックと、
前記ベースバンドブロックの出力端子に現れたＤＣオフセットの極性を検出するためのコンパレータ、および前記コンパレータの出力を初期判定の極性と比較して、変化すればゼロを出力し、変化しなければ１を出力する逐次比較型のレジスタ（以下、ＳＡＲと略称する）により構成される逐次比較型のＡ／Ｄコンバータと、
前記ＳＡＲの出力から得られたデジタル信号に対する補正電流を出力し、前記ミキサの出力端子に補正信号を与える第１Ｄ／Ａコンバータと、
前記ＳＡＲの出力から得られたデジタル信号に対する補正電流を出力させる第２Ｄ／Ａコンバータと、
前記ミキサに入力されるＲＦ信号の大きさを検波する検波器と、
前記検波器の出力の大きさにより前記第２Ｄ／Ａコンバータの値をコントロールして前記ミキサに対する補正電流を発生させる調整器と、
前記ミキサの出力端子に前記動的ＤＣオフセットを発生させるためのテスト信号を発生し、前記ＲＦ増幅器の出力端子に供給するテスト信号発生器とを備え、
前記静的ＤＣオフセット補正器は、前記逐次比較型のＡ／Ｄコンバータ、および前記第１Ｄ／Ａコンバータにより構成されて、前記ベースバンドブロックの出力端子において前記静的ＤＣオフセットを補正し、
前記動的ＤＣオフセット補正器は、前記逐次比較型のＡ／Ｄコンバータ、前記第２Ｄ／Ａコンバータ、前記検波器、および前記調整器により構成されて、前記ミキサにおいて前記動的ＤＣオフセットを補正し、
前記動的ＤＣオフセットの補正と前記静的ＤＣオフセットの補正を時分割で行うことにより、前記逐次比較型のＡ／Ｄコンバータを、前記静的ＤＣオフセット補正器と前記動的ＤＣオフセット補正器で共用する請求項１記載のＤＣオフセットキャリブレーションシステム。
【請求項３】
第１ＲＦ帯のＲＦ信号を増幅する低ノイズ増幅器からなる第１ＲＦ増幅器と、
前記第１ＲＦ帯とは異なる無線帯域の第２ＲＦ帯のＲＦ信号を増幅する低ノイズ増幅器からなる第２ＲＦ増幅器と、
前記第１ＲＦ帯のローカル信号と前記第２ＲＦ帯のローカル信号を発生させるためのローカル信号発生器と、
前記第１ＲＦ増幅器から出力されたＲＦ信号と前記第１ＲＦ帯のローカル信号とを掛け合わせて低周波のベースバンド信号に変換する第１ミキサと、
前記第２ＲＦ増幅器から出力されたＲＦ信号と前記第２ＲＦ帯のローカル信号とを掛け合わせて低周波のベースバンド信号に変換する第２ミキサと、
妨害波を減衰させるためのＬＰＦおよび可変利得増幅器で構成され、前記第１ミキサおよび前記第２ミキサの出力信号が供給されて、前記第１ＲＦ帯のＲＦ信号と前記第２ＲＦ帯のＲＦ信号のそれぞれに含まれる妨害波を除去し、前記ベースバンド信号を、前記第１ＲＦ帯のＲＦ信号と前記第２ＲＦ帯のＲＦ信号の大きさによらず一定の大きさにするためのベースバンドブロックと、
前記ベースバンドブロックの出力端子に現れたＤＣオフセットの極性を検出するためのコンパレータ、および前記コンパレータの出力を初期判定の極性と比較して、変化すればゼロを出力し、変化しなければ１を出力する逐次比較型のレジスタ（以下、ＳＡＲと略称する）により構成される逐次比較型のＡ／Ｄコンバータと、
前記ＳＡＲの出力から得られたデジタル信号に対する補正電流を出力し、前記第１および第２ミキサの出力端子に補正信号を与える第１Ｄ／Ａコンバータと、
前記ＳＡＲの出力から得られたデジタル信号に対する補正電流を出力させる第２Ｄ／Ａコンバータと、
前記第１ミキサに入力されるＲＦ信号の大きさを検波する第１検波器と、
前記第１検波器の出力の大きさにより前記第２Ｄ／Ａコンバータの値をコントロールして前記第２ミキサに対する補正電流を発生させる第１調整器と、
前記ＳＡＲの出力から得られたデジタル信号に対する補正電流を出力させる第３Ｄ／Ａコンバータと、
前記第２ミキサに入力されるＲＦ信号の大きさを検波する第２検波器と、
前記第２検波器の出力の大きさにより前記第３Ｄ／Ａコンバータの値をコントロールして前記第２ミキサに対する補正電流を発生させる第２調整器と、
前記第１および第２ミキサの出力端子にそれぞれ、前記第１ＲＦ帯と前記第２ＲＦ帯の前記動的ＤＣオフセットを発生させるためのテスト信号を発生し、前記第１および第２ＲＦ増幅器の出力端子にそれぞれ供給するテスト信号発生器とを備え、
前記逐次比較型のＡ／Ｄコンバータ、および前記第１Ｄ／Ａコンバータにより、前記ベースバンドブロックの出力端子において前記第１ＲＦ帯および前記第２ＲＦ帯の前記静的ＤＣオフセットを補正する静的ＤＣオフセット補正器が構成され、
前記逐次比較型のＡ／Ｄコンバータ、前記第２Ｄ／Ａコンバータ、前記第１検波器、および前記第１調整器により、前記第１ミキサにおいて前記第１ＲＦ帯の前記動的ＤＣオフセットを補正する第１動的ＤＣオフセット補正器が構成され、
前記逐次比較型のＡ／Ｄコンバータ、前記第３Ｄ／Ａコンバータ、前記第２検波器、および前記第２調整器により、前記第２ミキサにおいて前記第２ＲＦ帯の前記動的ＤＣオフセットを補正する第２動的ＤＣオフセット補正器が構成され、
ＤＣオフセット補正の動作開始後、第１番目の時刻ｔ１に、前記静的ＤＣオフセット補正器による前記第１ＲＦ帯の前記静的ＤＣオフセットの補正を開始し、
第２番目の時刻ｔ２に、前記第１ＲＦ帯の前記静的ＤＣオフセットの補正を終了した後、前記第１動的ＤＣオフセット補正器による前記第１ＲＦ帯の前記動的ＤＣオフセットの補正を開始し、
第３番目の時刻ｔ３に、前記第１ＲＦ帯の前記動的ＤＣオフセットの補正を終了した後、前記静的ＤＣオフセット補正器による前記第２ＲＦ帯の前記静的ＤＣオフセットの補正を開始し、
第４番目の時刻ｔ４に、前記第２ＲＦ帯の前記静的ＤＣオフセットの補正を終了した後、前記第２動的ＤＣオフセット補正器による前記第２ＲＦ帯の前記動的ＤＣオフセットの補正を開始し、
第５番目の時刻ｔ５に、前記第２ＲＦ帯の前記動的ＤＣオフセットの補正を終了し、
各々のＲＦ帯での前記動的ＤＣオフセットの補正および前記静的ＤＣオフセットの補正を時分割で行い、前記第１ＲＦ帯の前記動的ＤＣオフセットを補正したあとで前記第２ＲＦ帯の前記動的ＤＣオフセットを補正することにより、前記逐次比較型のＡ／Ｄコンバータを、前記静的ＤＣオフセット補正器と前記第１および第２動的ＤＣオフセット補正器で共用することを特徴とするＤＣオフセットキャリブレーションシステム。